(57)【特許請求の範囲】
【請求項１】
複数のサブ画素群を有するアレイに配置された複数個の画素群を備え、それら画素群それぞれが、行方向に隣り合わせに配置され且つ列方向に互いにずらされている第１画素副群及び第２画素副群を含み、それら第１画素副群及び第２画素副群それぞれが、第１サブ画素群、第２サブ画素群及び第３サブ画素群を含め相異なる三色のサブ画素群を含み、それらサブ画素群それぞれが４個の同色サブ画素を含み、
上記画素群それぞれにて、上記第１画素副群及び上記第２画素副群に含まれる相異なる三色の上記サブ画素群は、上記列方向に沿い同じ順序で繰り返し配置され、
上記サブ画素群それぞれにて同色の４つの上記サブ画素が同じ形状及び同じサイズを有し、上記第２画素副群の上記列方向の高さが上記第１画素副群の上記列方向の高さよりも高いとされている許で、同じ画素群にて、上記第１画素副群における第１色のサブ画素群は、上記行方向に沿った中心線に対して体系的に配置された4つのサブ画素を持ち、上記中心線は、第２色のサブ画素群と上記第２画素副群の第１色のサブ画素群との間の境界線と一致し、
上記第１画素副群の第２列における上記第１サブ画素群の２つのサブ画素及び上記第１サブ画素群に隣接する上記第２サブ画素群の２つのサブ画素、及び、上記第２画素副群の第１列における上記第３サブ画素群の２つのサブ画素が第１画素ユニットを構成し、
上記第１画素副群の第２列における上記第３サブ画素群の２つのサブ画素、及び、上記第２画素副群の第１列における上記第１サブ画素群の２つのサブ画素及び上記第１サブ画素群に隣接する上記第２サブ画素群の２つのサブ画素が第２画素ユニットを構成し、
上記第１画素副群の第２列は、上記第２画素副群の第１列に隣接して配置され、
上記第１画素ユニットと上記第２画素ユニットには、異なる駆動信号が提供される、
ことを特徴とする画素構造。
【請求項２】
画素構造であって、上記サブ画素群それぞれにて、上記４個の同色サブ画素が、上記列方向及び上記行方向に沿った２本の行及び２本の列からなるアレイ状に配置されていることを特徴とする請求項１に記載の画素構造。
【請求項３】
複数のサブ画素群を有するアレイに配置された複数個の画素群を備え、それら画素群それぞれが、行方向に隣り合わせに配置され且つ列方向に互いにずらされている第１画素副群及び第２画素副群を含み、それら第１画素副群及び第２画素副群それぞれが、第１サブ画素群、第２サブ画素群及び第３サブ画素群を含め相異なる三色のサブ画素群を含み、それらサブ画素群それぞれが４個の同色サブ画素を含み、
上記画素群それぞれにて、上記第１画素副群及び上記第２画素副群に含まれる相異なる三色の上記サブ画素群は、上記列方向に沿い同じ順序で繰り返し配置され、
上記サブ画素群それぞれにて同色の４つの上記サブ画素が同じ形状及び同じサイズを有し、上記第２画素副群の上記列方向の高さが上記第１画素副群の上記列方向の高さ未満とされている許で、同じ画素群にて、上記第２画素副群における第１色のサブ画素群は、上記行方向に沿った中心線に対して体系的に配置された4つのサブ画素を持ち、上記中心線は、第２色のサブ画素群と上記第１画素副群の第３色のサブ画素群との間の境界線と一致し、
上記第１画素副群の第２列における上記第１サブ画素群の２つのサブ画素及び上記第１サブ画素群に隣接する上記第２サブ画素群の２つのサブ画素、及び、上記第２画素副群の第１列における上記第３サブ画素群の２つのサブ画素が第１画素ユニットを構成し、
上記第１画素副群の第２列は、上記第２画素副群の第１列に隣接して配置され、
上記第１画素ユニットと上記第２画素ユニットには、異なる駆動信号が提供される、
ことを特徴とする画素構造。
【請求項４】
上記サブ画素の各々の形状は、直角コーナー長方形、丸コーナー長方形及びノッチ型長方形のいずれかであり、その長方形の長さ幅比は２：１、３：１、３：２及び４：３のいずれかであることを特徴とする請求項１又は３に記載の画素構造。
【請求項５】
画素構造であって、同じ画素群にて、上記第１画素副群及び上記第２画素副群内でサブ画素が共有されていないことを特徴とする請求項１又は３に記載の画素構造。
【請求項６】
請求項１乃至５のうちいずれか一項に記載の画素構造を備える表示デバイスであることを特徴とする表示デバイス。
【発明の詳細な説明】
【技術分野】
【０００１】
本件開示は表示テクノロジの分野、特に画素構造、マスク及び表示デバイスに関する。
【背景技術】
【０００２】
有機発光ダイオード（ＯＬＥＤ）表示テクノロジには自己照明特性があり、表示画面の視角が広く省エネルギであるという長所があるため、携帯電話、ディジタルビデオカメラ、ＤＶＤプレイヤ、携帯情報端末（ＰＤＡ）、ノート型コンピュータ、カーステレオ、テレビジョン等の製品にて広範に応用されている。
【０００３】
現在、ＯＬＥＤ表示パネルの典型的な画素構造では画素の横並び配置が用いられている。この横並び法では、１画素の範囲内に赤、緑及び青（Ｒ，Ｇ，Ｂ）のサブ画素が設けられる。各サブ画素は長方形であり、相独立な有機発光部品を有している。具体的には、図１Ａに示すように、各画素ユニットがＲ（赤）サブ画素１０１、Ｇ（緑）サブ画素１０３及びＢ（青）サブ画素１０５で構成されそれらが直線に沿い配置される。それらＲ，Ｇ，Ｂサブ画素は全て長方形とされ、どのサブ画素も同サイズとされ、且つそれらＲ，Ｇ，Ｂサブ画素の個数比が１：１：１とされる。こうした画素構造は業界にてリアルＲＧＢと通称されている。
【０００４】
図１Ａに示した画素構造は、一般に、図１Ｂに示すファインメタルマスク（ＦＭＭ）を用い蒸着によって実現される。このＦＭＭは遮蔽領域１０７及び複数個の蒸着開口１０８を有している。遮蔽領域のうち、同じロー内で隣り合う２個の蒸着開口１０８間にあるそれを、ブリッジと呼んでいる。ＦＭＭには一般に最小限開口なる制限がある。相異なる色のサブ画素には、蒸着プロセスにて開口間隔制限が課される。ＯＬＥＤ画素構造の誂え方は、不可避的に、ＦＭＭ開口と蒸着プロセスの精度とにより制限される。図１Ａに示した画素構造では、インチ当たり画素数（ＰＰＩ）を３００ＰＰＩ超とする際に現行のＦＭＭプロセスを実施するのが難しく、そのため高ＰＰＩなＯＬＥＤ表示デバイスの開発条件を充足することができなかった。
【発明の概要】
【発明が解決しようとする課題】
【０００５】
発明者が研究を通じ見いだしたところによれば、従来のＲＧＢ画素構造では高ＰＰＩ表示効果なる製品の条件を充足することができない。このことを踏まえ、本件開示の目的とされているのは、高いＰＰＩを実現できる画素構造、マスク及び表示デバイスを提供することである。
【課題を解決するための手段】
【０００６】
上掲の技術的問題を解決すべく本件開示では画素構造が提案される。本画素構造は、アレイ状に配置された複数個の画素群を備え、それら画素群それぞれが、隣り合わせに配置され且つ互いにずらされている第１画素副群及び第２画素副群を含み、それら第１画素副群及び第２画素副群それぞれが、相異なる三色のサブ画素群即ち第１サブ画素群、第２サブ画素群及び第３サブ画素群を含み、それらサブ画素群それぞれが４個の同色サブ画素を含むものである。
【０００７】
付随的には、上記画素群それぞれにて、第１画素副群及び第２画素副群を第１方向に沿い隣り合わせに配置し且つその第１方向に対し垂直な第２方向に沿い互いにずらす。
【０００８】
付随的には、第１方向をロー方向、第２方向をカラム方向とし、或いは第１方向をカラム方向、第２方向をロー方向とする。
【０００９】
付随的には、上記画素群それぞれにて且つ第１画素副群及び第２画素副群それぞれにて、相異なる三色のサブ画素群を第２方向に沿い同順で反復配置する。
【００１０】
付随的には、上記画素群それぞれにて且つ第１画素副群及び第２画素副群それぞれにて、相異なる三色のサブ画素群を第２方向に沿い非同順で反復配置する。
【００１１】
付随的には、各サブ画素群内の４個の同色サブ画素を、第１方向及び第２方向に沿った２本のロー及び２本のカラムからなるアレイ状に配置する。
【００１２】
付随的には、各サブ画素群内の４個の同色サブ画素を同じ形状及びサイズとし、第２画素副群の第２方向沿い高さを第１画素副群の第２方向沿い高さ未満としつつ、同じ画素群にて、第２画素副群内第１色サブ画素群の第２方向沿い中心線を、第１画素副群内第２色サブ画素群・第１画素副群内第３色サブ画素群間の境界線と一致させる。
【００１３】
各サブ画素群内の４個の同色サブ画素を同じ形状及びサイズとし、第２画素副群の第２方向沿い高さを第１画素副群の第２方向沿い高さ超としつつ、同じ画素群にて、第１画素副群の第１色サブ画素群の第２方向沿い中心線を、第２画素副群内第２色サブ画素群・第２画素副群内第３色サブ画素群間の境界線と一致させる。
【００１４】
付随的には、上記画素群それぞれを少なくとも１個の画素ユニットに区分し、各画素ユニットに相異なる三色のサブ画素を含ませる。
【００１５】
付随的には、同じ画素群内の第１サブ画素副群・第２サブ画素副群間でサブ画素が共有されないようにする。
【００１６】
付随的には、同じ画素群にて、第１サブ画素副群及び／又は第２サブ画素副群内の少なくとも１個のサブ画素を共有することで対応する画素ユニットが形成されるようにする。
【００１７】
付随的には、形成された画素ユニットにて、その画素ユニットの一部分が左目表示の達成に用いられ且つその画素ユニットの他部分が右目表示の達成に用いられるようにする。
【００１８】
本件開示では、上掲の画素構造のうちいずれかを製造するためのマスクも提案される。付随的には、そのマスクの蒸着開口のうち１個を少なくとも２個の同色サブ画素に対応させる。本件開示では、上掲の画素構造のうちいずれかを備える表示デバイスも提案される。
【発明の効果】
【００１９】
従来技術と比べ、本件開示の技術的解決策には以下の有益な効果がある：
１．アレイ状に配置された複数個の画素群がその画素構造に備わり、第１画素副群及び第２画素副群が各画素群に備わり、それらが第１方向に沿い隣り合わせに配置されており、且つそれらがそれぞれ相異なる三色のサブ画素群を含んでいること、第１画素副群及び第２画素副群が互いにずらされていること、各サブ画素群に４個の同色サブ画素が備わり、少なくとも２個の同色サブ画素にマスクの蒸着開口が対応していることから、同色サブ画素群の規則的交番配置を実現することができ、そのマスクの強度を高めることができ、蒸着マスクの準備プロセス及び蒸着プロセスの難度を下げることができ、小型サブ画素の準備を行うことができ、且つ表示デバイスのＰＰＩを改善することができる；
２．画素構造内に三色が比較的均一に分布することでより良好な表示効果を得ることができ、各サブ画素群に４個の同色サブ画素が含まれているため各画素ユニットに相異なる三色のサブ画素が含まれるよう対応する画素ユニットを様々な表示条件に従い区分することができ、またそれら三色が三原色即ち赤、緑及び青である場合は、別のグレースケール及び色合いを実現すべく赤、緑及び青の表示スケールを調整することで真の意味でのパンクロマティック表示を実現すること、ひいては活用範囲を拡げることができる。
【図面の簡単な説明】
【００２０】
【図１Ａ】従来技術におけるＯＬＥＤ表示パネルの画素構造の配置模式図である。
【図１Ｂ】図１Ａに対応するＦＭＭの模式図である。
【図２Ａ】本件開示の具体的実施形態に係る画素構造の配置模式図である。
【図２Ｂ】本件開示の具体的実施形態に係る画素構造の配置模式図である。
【図２Ｃ】本件開示の具体的実施形態に係る画素構造の配置模式図である。
【図２Ｄ】本件開示の具体的実施形態に係る画素構造の配置模式図である。
【図２Ｅ】本件開示の具体的実施形態に係る画素構造の配置模式図である。
【図２Ｆ】本件開示の具体的実施形態に係る画素構造の配置模式図である。
【図２Ｇ】本件開示の具体的実施形態に係る画素構造の配置模式図である。
【図２Ｈ】本件開示の具体的実施形態に係る画素構造の配置模式図である。
【図３】本件開示の具体的諸実施形態に係るＦＭＭの模式図である。
【図４Ａ】本件開示の具体的実施形態に係る画素ユニットの区分を示す模式図である。
【図４Ｂ】本件開示の具体的実施形態に係る画素ユニットの区分を示す模式図である。
【図４Ｃ】本件開示の具体的実施形態に係る画素ユニットの区分を示す模式図である。
【図４Ｄ】本件開示の具体的実施形態に係る画素ユニットの区分を示す模式図である。
【図４Ｅ】本件開示の具体的実施形態に係る画素ユニットの区分を示す模式図である。
【図４Ｆ】本件開示の具体的実施形態に係る画素ユニットの区分を示す模式図である。
【図４Ｇ】本件開示の具体的実施形態に係る画素ユニットの区分を示す模式図である。
【図４Ｈ】本件開示の具体的実施形態に係る画素ユニットの区分を示す模式図である。
【発明を実施するための形態】
【００２１】
以下、添付図面を参照して本件開示につき記述することにする。注記すべきことに、それら図面は必ずしも均等縮尺ではない非常に簡略化された形態で提示されており、本件開示の諸実施形態を至便且つ明瞭に説明しうるようにすることを専ら目的としており、且つ対応する構造のうち一部分のみを個々の図で示すものである。実際の製品は実際の表示ニーズに従い相応に改変されうる。加えて、本件開示にて述べるところの第１ロー、第２ロー、第１カラム、第２カラム…は皆、本件開示を記述するため図面中に描出されるところの参照規範であり、実際の製品におけるロー及びカラムを示すものではない。
【００２２】
図２Ａ〜図２Ｇに示すように、本件開示のある実施形態により提供される画素構造は、アレイ状に配置された複数個の画素群２０を有している。その画素群２０にはそれぞれ第１画素副群２１及び第２画素副群２２が含まれており、それらは、Ｘ方向（第１方向）に沿い隣り合わせに配置（即ちカラム状に配置）されると共に、Ｙ方向（第２方向）に沿い互いにずらされている。第１画素副群２１及び第２画素副群２２のＹ方向に沿ったずれとは、Ｙ方向に沿い第１画素副群２１及び第２画素副群２２の頂部が同じ高さでないことを指している。例えば、第１画素副群２１のＹ方向沿い高さを第２画素副群２２のＹ方向沿い高さより高くすることで、図２Ａに示すように、第１画素副群２１に対し第２画素副群２２を下方にずらすことができる。また例えば、第１画素副群２１のＹ方向沿い高さを第２画素副群２２のＹ方向沿い高さより低くすることで、図２Ｂに示すように、第１画素副群２１に対し第２画素副群２２を上方にずらすことができる。本実施形態の画素構造には、実質的に、第１画素副群２１をＹ方向に沿い並べることで形成された複数本の画素群カラムと、第２画素副群２２をＹ方向に沿い並べることで形成された複数本の画素群カラムとが備わっている。Ｙ方向沿い第１画素副群２１により形成された画素群カラムと、Ｙ方向沿い第２画素副群２２により形成された画素群カラムとが、Ｘ方向に沿い交番的且つ反復的に配置されると共に、隣り合う２本の画素群カラムが互いにずらされている。言い換えれば、奇数本目の画素群カラム全てでサブ画素が同じ形態にて配置され、且つ偶数本目の画素群カラムでもサブ画素が同じ形態にて配置されている。その一方で、奇数本目の画素群カラムと偶数本目の画素群カラムとで、同色サブ画素群が縦方向に沿い揃っておらず互いにずらされている（偏倚している）。
【００２３】
第１画素副群２１及び第２画素副群２２には、それぞれ、相異なる三色のサブ画素群、即ち第１サブ画素群２０１、第２サブ画素群２０２及び第３サブ画素群２０３が含まれている。それら三色は赤（Ｒ）、緑（Ｇ）及び青（Ｂ）とされうる。更に、第１画素副群２１及び第２画素副群２２における第１サブ画素群２０１、第２サブ画素群２０２及び第３サブ画素群２０３の配置順序は、（図２Ｇに示す如く）同じでもよいし（図２Ｆ及び図２Ｈに示す如く）異なっていてもよい。各サブ画素群には４個の同色サブ画素が含まれており、そっくりな形状及びサイズを有するそれら４個のサブ画素が、２本のロー及び２本のカラムからなるアレイ状に配置されている。例えば、第１サブ画素群２０１内の４個のサブ画素全てが赤サブ画素でありＲと記され、第２サブ画素群２０２内の４個のサブ画素全てが緑サブ画素でありＧと記され、第３サブ画素群２０３内の４個のサブ画素全てが青サブ画素でありＢと記されているところ、それら４個のＲ、４個のＧ及び４個のＢがそれぞれ２×２アレイ状に配置されている。
【００２４】
図２Ａ〜図２Ｈに示すように、第１画素副群２１における相異なる三色のサブ画素群のＹ方向沿い（図２ＨではＸ方向沿い）配置順序は、第１サブ画素群２０１、第２サブ画素群２０２、第３サブ画素群２０３の順とされうる。従って、第２画素副群２２における相異なる三色のサブ画素群のＹ方向沿い配置順序は、図２Ａ、図２Ｂ及び図２Ｈに示すように第３サブ画素群２０３、第１サブ画素群２０１、第２サブ画素群２０２の順にも、図２Ｃに示すように第３サブ画素群２０３、第２サブ画素群２０２、第１サブ画素群２０１の順にも、図２Ｄに示すように第２サブ画素群２０２、第３サブ画素群２０３、第１サブ画素群２０１の順にも、図２Ｅに示すように第２サブ画素群２０２、第１サブ画素群２０１、第３サブ画素群２０３の順にも、図２Ｆに示すように第１サブ画素群２０１、第３サブ画素群２０３、第２サブ画素群２０２の順にも、また図２Ｇに示すように第１サブ画素群２０１、第２サブ画素群２０２、第３サブ画素群２０３の順にもされうる。
【００２５】
付随的には、図２Ａに示すように各画素群２０にて第１画素副群２１を第２画素副群２２に対し上方にずらす場合、Ｙ方向沿い第２画素副群２２の第１色サブ画素群の中心線（例．図２Ａにて２本のＢロー間にある破線）を、第１画素副群２１の他の二色のサブ画素群間の境界線（例．図２Ａにて４個のＲと４個のＧの間にある実線）と一致させる。図２Ｂに示すように各画素群２０にて第１画素副群２１を第２画素副群２２に対し下方にずらす場合は、Ｙ方向沿い第１画素副群２１の第１色サブ画素群の中心線（例．図２Ｂにて２本のＲロー間にある破線）を、第２画素副群２２内の他の二色のサブ画素群間の境界線（例．図２Ｂにて４個のＢと４個のＲの間にある実線）と一致させる。こうすることで、第２画素副群２２に対する第１画素副群２１のずれを実現し、第１画素副群２１内サブ画素及び第２画素副群２２内サブ画素を巻き込んだ画素区分を可能にして、高いＰＰＩを実現することができる。加えて、やはり有益なことに、マスク製造の難度を下げることができる。
【００２６】
注記すべきことに、諸色サブ画素のサイズを各サブ画素の寿命に従い適合的に調整することができる。好ましいことに、同じ画素群内のサブ画素全ての形状及びサイズを同一にし、同じマスクを三回用い三色のサブ画素を蒸着することで、コストを下げることができる；或いは、二色のサブ画素の形状及びサイズを同一、もう一色のサブ画素の形状及びサイズを当該二色のサブ画素のそれとは異にすることで、同じマスクを二回用い当該二色のサブ画素を蒸着させてコストを節約することができる；或いは、三色のサブ画素の形状を同一とし且つ当該三色のサブ画素のサイズを厳密には非同一とする。例えば、ある同じ画素群にてサブ画素Ｒ、Ｇ及びＢの形状を全てストリップとし、そのストリップを直角コーナ長方形、丸コーナ長方形及びノッチ型長方形（４個の長方形コーナのうち少なくとも１個が直角でなく丸コーナであるもの）にするとよい。そのストリップに対応する長方形の長さ幅比を１：１、２：１、３：１、３：２又は４：３とし、ワイヤリングスペースの最適化を行えるようにするとよい。それらサブ画素Ｒ及びＢのサイズを同一とし、サブ画素Ｇのサイズ（例．長方形の幅）をサブ画素Ｒのサイズ（例．長方形の幅）よりも大きめ又は小さめにするのである。
【００２７】
加えて、ご理解頂けるように、実際の製造に当たっては、諸製品の実形状（及びサイズ）と諸製品の設計形状（及びサイズ）との間で幾らかの偏差が許容される。一般に、製品の実形状（及びサイズ）がその製品の設計形状（及びサイズ）の許容差範囲内にある限り、使用条件を満たすことができる。例えば、サブ画素Ｇ、サブ画素Ｒ及びサブ画素Ｂの形状が長方形類似形状、例えば近似的に長方形的又は近似的に正方形的な台形であってもよい。その台形は等脚台形でも不等脚台形でもよいし、また正台形でも逆台形でも反時計回りに９０°回した台形でも時計回りに９０°回した台形でもよい。ある好適な実施形態ではその台形が等脚台形とされ、その等脚台形の上底・下底間サイズ差が下底長の１０％未満とされ、その等脚台形の脚・上底間挟角が９０°超１００°未満とされ、その等脚台形の脚・下底間挟角が８０°超９０°未満とされる。こうした場合、サブ画素Ｇ、サブ画素Ｒ及びサブ画素Ｂの形状が（許容偏差範囲内で）近似的に正方形となるので、より良好な配置効果を引き続き得ることができる。
【００２８】
加えて、実際の設計及び生産条件によっては、図２Ａ〜図２Ｇの画素群をアレイ状に配置することで形成された画素構造が、反時計回り又は時計回りに９０°回されることがありうるし、全くのところ１８０°回されることもありうる。例えば、図２Ａを反時計回りに９０°回すことで、図２Ｈに示す画素構造を得ることができる。図２Ｈに示す画素構造はアレイ状に配置された複数個の画素群２０を有している。各画素群２０には第１画素副群２１及び第２画素副群２２が含まれており、それらがＹ方向に沿い隣り合わせに配置（即ちローをなし配置）されており、それらには相異なる三色Ｒ、Ｇ及びＢのサブ画素群がそれぞれ含まれており、第１画素副群２１においては第１サブ画素群２０１、第２サブ画素群２０２及び第３サブ画素群２０３をＸ方向に沿いその順で配置することができ、第２画素副群２２においては第３サブ画素群２０３、第１サブ画素群２０１及び第２サブ画素群２０２をＸ方向に沿いその順で配置することができる。各サブ画素群には４個の同色サブ画素が含まれそれらが２×２アレイ状に配置されているので、第１画素副群２１内のサブ画素は２本のロー及び６本のカラムからなるアレイ状に並ぶこととなる（ＲＲ  ＧＧ  ＢＢ／ＲＲ  ＧＧ  ＢＢ）。第２画素副群２２における三色のサブ画素群の位置は、第１画素副群２１のそれとは異なっているが、やはり２本のロー及び６本のカラムからなるアレイとなっている（ＢＢ  ＲＲ  ＧＧ／ＢＢ  ＲＲ  ＧＧ）。各画素群２０では、第２画素副群２２が第１画素副群２１に対し右側にずれており、Ｙ方向沿い第２画素副群２２の第１サブ画素カラム（ＢＢ）・第２サブ画素カラム（ＢＢ）間ギャップの中心線が、Ｘ方向沿い第１画素副群２１の第２サブ画素カラム（ＲＲ）・第３サブ画素カラム（ＧＧ）間ギャップの中心線と一致している。この画素構造には、実質的に、第１画素副群２１をＸ方向に沿い順次配置することで形成された複数本の画素群ローと、第２画素副群２２をＸ方向に沿い順次配置することで形成された複数本の画素群ローとが、備わっている。Ｘ方向沿い第１画素副群２１により形成された画素群ローと、Ｘ方向沿い第２画素副群２２により形成された画素群ローとが、Ｙ方向に沿い交番的且つ反復的に配置されており、また隣り合う２本の画素群ローが互いにずらされている。言い換えれば、奇数本目の画素群ロー全てでサブ画素が同じ形態にて配置され、偶数本目の画素群ローでもサブ画素が同じ形態にて配置されている。その一方で、奇数本目の画素群ローと偶数本目の画素群ローとで、同色サブ画素群が縦方向に沿い揃っておらず互いにずらされている（偏倚している）。
【００２９】
本件開示の各実施形態の画素構造では、各サブ画素（Ｒ／Ｇ／Ｂ）が発光領域（表示領域）及び非発光領域（非表示領域）を有している。各サブ画素の発光領域にはカソード、アノード及び電界発光層（有機発光層とも称する）が備わっており、その電界発光層が、カソード・アノード間に配置されると共に、所定色の光を生成して表示を実現するよう構成されている。概して、本件開示の画素構造によれば、蒸着プロセスを三回実行することで、対応する色（例．赤、緑又は青）の電界発光層を、対応するサブ画素の発光領域内にそれぞれ形成することができる。
【００３０】
図３は、ある特定の色のサブ画素を蒸着させるのに用いられるＦＭＭであり図２Ａに示した画素構造に対応するものの模式図である。図３に示すマスクは複数個の蒸着開口３０１を有している。各蒸着開口３０１は少なくとも２個の同色サブ画素に対応している。例えば、各蒸着開口３０１を、図２Ａ中で対応する位置にある４個の同色サブ画素（即ち第１画素副群２１又は第２画素副群２２を構成するサブ画素群）に対応させてある。図２Ａでは、奇数本目の画素群カラムと偶数本目の画素群カラムとで同色サブ画素群が縦方向に揃っておらず互いにずらされている（偏倚している）ため、蒸着マスク（例．ＦＭＭ）上にあり同色サブ画素群の形成に用いられる蒸着開口３０１も、ずらされている。こうすることで、ＦＭＭの強度を高めることができ、ＦＭＭの問題例えば歪み及び破砕を極力回避することができ、蒸着品質に影響する欠陥例えば蒸着膜のふらつき及びずれをも減らすことができる。サブ画素全てを同じ形状及びサイズにする場合は、三色のサブ画素群を同じ形態で配置することで、ずれを伴う形態にてマスクを共用して三色のサブ画素を蒸着することが可能となり、それによりコストを節約することができる。各サブ画素群内の４個のサブ画素で蒸着開口３０１を共用しうるので、空間占拠を減らすことができる。開口比を高めてＰＰＩを改善することや、開口を大きくすることなく現有開口を大きくしてプロセス難度の低減を実現することができる。注記すべきことに、マスクの蒸着開口３０１のうち１個が２個の同色サブ画素に対応している場合、全ての同色サブ画素群を対応するずれ及び複数回の蒸着で以て形成することができる。
【００３１】
本件開示の画素構造は「画素群２０」を単位とするアレイ状配置であり、その内部で隣り合う第１画素副群２１及び第２画素副群２２が互いにずらされているため、図１Ａに示した従来の画素構造に対しその構造が大きく変わっている。ひいては画素の区分（又はディスプレイ駆動方法）も変わっており、区分された画素それぞれに三色のサブ画素が含まれているためパンクロマティック表示を実現することができる。本件開示の画素構造は２Ｄフラットパネルディスプレイ向けに用いることができ、更には時分割制御により３Ｄ（立体視又は三次元）ディスプレイ向けに用いることができる。以下、本件開示の画素構造に係る画素ユニットの具体的区分形態について、図２Ａに示した画素構造を一例として採り上げ詳述する。
【００３２】
図４Ａに示すように、本件開示のある実施形態では、各画素群２０が１個の画素ユニットＰ１０に区分されること、即ち各画素ユニットＰ１０に第１画素副群２１及び第２画素副群２２が含まれることとなろう。言い換えれば、各画素ユニットＰ１０にＲサブ画素８個、Ｂサブ画素８個、Ｇサブ画素８個が含まれることとなる。こうした画素ユニット区分形態では、各画素ユニットにＲ、Ｇ及びＢ三色のサブ画素が含まれるため、パンクロマティック表示の実現が可能となり、２Ｄ表示モードにて用いることができ、またサブ画素がより多数であるためより良好な表示効果がもたらされる。
【００３３】
図４Ｂに示すように、本件開示のある実施形態では各画素群２０が２個の画素ユニットに区分されよう。第１画素副群２１が画素ユニットＰ１１、第２画素副群２２が画素ユニットＰ１２とされるのである。各画素ユニットにＲサブ画素４個、Ｂサブ画素４個、Ｇサブ画素４個が含まれるため、パンクロマティック表示の実現が可能となり、２Ｄ表示モードにて用いることができる。画素ユニットの個数が図４Ａに示した画素ユニットの個数の２倍であるため、表示効果が更に改善される。加えて、画素ユニットＰ１１及びＰ１２を制御し時分割表示に供することもできるため、その画素構造から画素ユニット例えばＰ１１（即ち第１画素副群２１により形成された画素ユニット）をより分け左目表示に用いること、並びにその画素構造から画素ユニット例えばＰ１２（即ち第２画素副群２２により形成された画素ユニット）をより分け右目表示に用いることができ、ひいてはその画素構造をＶＲ及び３Ｄ表示テクノロジに応用することが可能となる。
【００３４】
図４Ｃに示すように、本件開示のある実施形態では各画素群２０が４個の画素ユニットに区分されよう。第１画素副群２１のサブ画素カラム２本がそれぞれ画素ユニットＰ２１及びＰ２２へと区分され、第２画素副群２２のサブ画素カラム２本がそれぞれ画素ユニットＰ２３及びＰ２４へと区分されるのである。各画素ユニットにＲサブ画素２個、Ｂサブ画素２個、Ｇサブ画素２個が含まれるため、パンクロマティック表示の実現が可能となり、且つ２Ｄ表示モードにて用いることができる。更に、画素ユニットの個数が図４Ｂに示した画素ユニットの個数の２倍であるため、表示効果が更に改善される。加えて、画素ユニットＰ２１〜Ｐ２４を制御し時分割表示に供することもできるため、その画素構造から画素ユニット例えばＰ２１及びＰ２３（即ち各画素副群の左側サブ画素カラムを含む画素ユニット）をより分け左目表示に用いること、並びにその画素構造から画素ユニット例えばＰ２２及びＰ２４（即ち各画素副群の右側サブ画素カラムを含む画素ユニット）をより分け右目表示に用いることができ、それによりその画素構造をＶＲ及び３Ｄ表示テクノロジに応用することが可能となる。
【００３５】
本件開示のある実施形態では、各画素群２０内の第１画素副群２１のサブ画素のうち一部分、並びに第２画素副群２２のサブ画素のうち一部分とが、１個の画素ユニットに区分されよう。
【００３６】
例えば、図４Ｄに示すように、各画素群２０にて、第１画素副群２１及び第２画素副群２２内の隣り合うサブ画素カラム２本が画素ユニットＰ３１に区分されよう。各画素ユニットＰ３１にＲサブ画素４個、Ｂサブ画素４個、Ｇサブ画素４個が含まれるため、パンクロマティック表示の実現が可能となり、且つ２Ｄ表示モードにて用いることができる。更に、画素ユニットの個数が図４Ａに示した画素ユニットの個数の２倍であるため、表示効果が更に改善される。
【００３７】
また例えば、図４Ｅに示すように、本件開示のある実施形態では、各画素群２０にて、第１画素副群２１のＲサブ画素２個（例．図４Ｅ中の第１画素副群２１の第２ローのＲサブ画素２個）及びＧサブ画素２個（例．図４Ｅ中の第１画素副群２１の第３ローのＧサブ画素２個）と、第２サブ画素群２２のＢサブ画素２個（例．図４Ｅ中の第２サブ画素群２２の第１ローの２個のＢサブ画素）とが、画素ユニットＰ４１に区分される。各画素群２０にて、第１画素副群２１の他のＧサブ画素２個（例．図４Ｅ中、第１画素副群２１の第４ローのＧサブ画素２個）と、第２サブ画素群２２のＢサブ画素２個（例．図４Ｅ中の第２サブ画素群２２の第２ローのＢサブ画素２個）と、第２サブ画素群２２のＲサブ画素２個（例．図４Ｅ中の第２サブ画素群２２の第３ローのＲサブ画素２個）とが、画素ユニットＰ４２に区分される。各画素群２０にて、第１画素副群２１の他のＢサブ画素２個（例．図４Ｅ中の第１画素副群２１の第５ローのＢサブ画素２個）と、第２サブ画素群２２の他のＲサブ画素２個（例．図４Ｅ中の第２画素副群２２の第４ローのＲサブ画素２個）と、第２サブ画素群２２のＧサブ画素２個（例．図４Ｅ中の第２画素副群２２の第５ローのＧサブ画素２個）とが、画素ユニットＰ４３に区分される。こうした区分形態により形成される個々の画素ユニットにはＲサブ画素２個、Ｂサブ画素２個、Ｇサブ画素２個が含まれるため、パンクロマティック表示の実現が可能となり、且つ２Ｄ表示モードにて用いることができる。更に、画素ユニットの個数が図４Ａに示した画素ユニットの個数より多いため、表示効果が更に改善される。加えて、時分割制御を用いることで、その画素構造から画素ユニット例えばＰ４１（第１サブ画素群２１内のサブ画素４個を含む画素ユニット）をより分け左目表示に用いること、並びにその画素構造から画素ユニット例えばＰ４２及びＰ４３（第２サブ画素群２２のサブ画素２個を含む画素ユニット）をより分け右目表示に用いることができ、それによりその画素構造をＶＲ及び３Ｄ表示テクノロジに応用することが可能となる。
【００３８】
また例えば、図４Ｆに示すように、各画素群２０にて、第１画素副群２１の右側カラム内のＲサブ画素２個及びＧサブ画素２個と、第２画素副群２２の左側カラム内のＢサブ画素２個とが、画素ユニットＰ５１に区分され、また第１画素副群２１の右側カラム内のＢサブ画素２個と、第２画素副群２２の左側カラム内のＲサブ画素２個及びＧサブ画素２個とが、画素ユニットＰ５２に区分される。こうした画素ユニット区分形態の許では、各画素ユニットにＲサブ画素２個、Ｂサブ画素２個、Ｇサブ画素２個が含まれるため、パンクロマティック表示の実現が可能となり、ひいては２Ｄ表示モードにて用いることができる。更に、画素ユニットの個数が図４Ａに示した画素ユニットの個数より多いため、表示効果が更に改善される。
【００３９】
図４Ｇに示すように、本件開示のある実施形態では、各画素群２０にて、第１画素副群２１の右側カラムのＲサブ画素１個（例．図４Ｇ中の第１画素副群２１の第２ローの右側Ｒサブ画素）及びＧサブ画素１個（例．図４Ｇ中の第１画素副群２１の第３ローの右側Ｇサブ画素）と、第２画素副群２２の左側カラムのＢサブ画素１個（例．図４Ｇ中の第２画素副群２２の第１ローの左側Ｂサブ画素）とが、画素ユニットＰ６１に区分される。各画素群２０にて、第１画素副群２１の右側カラムの他のＧサブ画素１個（例．図４Ｇ中の第１画素副群２１の第４ローの右側Ｇサブ画素）と、第２画素副群２２の左側カラムの他のＢサブ画素１個（例．図４Ｇ中の第２画素副群２２の第２ローの左側Ｂサブ画素）及びＲサブ画素１個（例．図４Ｇ中の第２画素副群２２の第３ローの左側Ｒサブ画素）とが、画素ユニットＰ６２に区分される。各画素群２０にて、第１画素副群２１の右側カラムのＢサブ画素１個（例．図４Ｇ中の第１画素副群２１の第５ローの右側Ｒサブ画素）と、第２画素副群２２中の左側カラムの他のＲサブ画素１個（例．図４Ｇ中の第２画素副群２２の第４ローの左側Ｒサブ画素）及びＧサブ画素１個（例．図４Ｇ中の第２画素副群２２の第５ローの左側Ｇサブ画素）とが、画素ユニットＰ６３に区分される。こうした画素ユニット区分形態の許では、各画素ユニットにＲサブ画素１個、Ｂサブ画素１個、Ｇサブ画素１個が含まれるため、パンクロマティック表示の実現が可能となり、ひいては２Ｄ表示モードにて用いることができる。更に、画素ユニットの個数が図４Ａ〜図４Ｅに示した画素ユニットの個数より多いため、表示効果が更に改善される。
【００４０】
上掲の各実施形態では、サブ画素が共有されるケースはどの画素群２０でも存在せず、従って２個の画素ユニットが同じサブ画素を共有するケースは存在しない。本件開示の他の諸実施形態では、同じ画素群２０にて少なくとも１個のサブ画素が共有されて対応する画素ユニットが形成される。例えば、図４Ｈに示すように、各画素群２０にて、第１画素副群２１の右側カラムのＧサブ画素２個に、第２画素副群２２の左側カラムの隣り合うＢ及びＲサブ画素を共有させることで、２個の画素ユニットＰ７１及びＰ７２を形成することができ、また、第１画素副群２１の右側カラムのＢサブ画素２個に、第２画素副群２２の左側カラムの隣り合うＧ及びＲサブ画素を共有させることで、２個の画素ユニットＰ７３及びＰ７４を形成することもできる。こうした画素ユニット区分形態の許では、各画素ユニットにＲ、Ｂ及びＧ三色のサブ画素が含まれるため、パンクロマティック表示の実現が可能となり、且つ２Ｄ表示モードにて用いることができる。更に、画素ユニットの個数が図４Ａ〜図４Ｇに示した画素ユニットの個数より多いため、表示効果が更に改善される。
【００４１】
注記すべきことに、各画素ユニットの表示は、各サブ画素を駆動することで表示されるコンテンツ（色、輝度等）を混合した結果であるので、各画素ユニットの表示は、その画素ユニットを組成しているサブ画素の種類及び個数に関連するのみならず、その画素ユニットを組成しているサブ画素の組合せ形態にも関連している。相異なる組合せ形態のサブ画素で画素ユニットを形成する場合、それに必要な駆動信号も異なる。言い換えれば、画素構造が複数個の画素ユニットに区分された後、各画素ユニットにて表示されるべきコンテンツに従いサブ画素に駆動信号が供給されるため、相応な輝度を画素ユニットに割り当てることができ、またその画素共有形態にて最良な混色効果を実現可能であるため、最良な表示効果を実現し解像度を更に改善することができる。無論、上掲のそれは専ら具体的画素供給形態であり、他の供給形態を採用することも実行可能である。
【００４２】
本件開示では、上掲の画素構造を有する表示デバイスも提案されている。本表示デバイスは、表示機能を有するあらゆる製品又は部品、例えばＯＬＥＤパネル、携帯電話、タブレットコンピュータ、テレビジョン、ディスプレイ、ノート型コンピュータ、ディジタルフォトフレーム、ナビゲータ等々とされよう。本件開示の表示デバイスは上掲の画素構造を有するものであり、その表示デバイスにより高い表示均一性及び良好な表示品質がもたらされる。
【００４３】
ご理解頂けるように、上掲の諸実施形態は本件開示の諸原理を説明するため採用された例示的実施形態に過ぎず、本件開示がそれに限定されるものではない。本件技術分野に習熟した者（いわゆる当業者）であれば、本件開示の神髄及び実質から離隔することなく様々な修正及び改良をなすことができ、そうした修正及び改良もまた本件開示の保護範囲と見なされる。
【図１Ａ】
0006963625.tif 000002
【図１Ｂ】
0006963625.tif 000003
【図２Ａ】
0006963625.tif 000004
【図２Ｂ】
0006963625.tif 000005
【図２Ｃ】
0006963625.tif 000006
【図２Ｄ】
0006963625.tif 000007
【図２Ｅ】
0006963625.tif 000008
【図２Ｆ】
0006963625.tif 000009
【図２Ｇ】
0006963625.tif 000010
【図２Ｈ】
0006963625.tif 000011
【図３】
0006963625.tif 000012
【図４Ａ】
0006963625.tif 000013
【図４Ｂ】
0006963625.tif 000014
【図４Ｃ】
0006963625.tif 000015
【図４Ｄ】
0006963625.tif 000016
【図４Ｅ】
0006963625.tif 000017
【図４Ｆ】
0006963625.tif 000018
【図４Ｇ】
0006963625.tif 000019
【図４Ｈ】
0006963625.tif 000020